(57)【要約】      （修正有）【課題】使用済みの吸収性衛生用品のリサイクルに用いる処理方法を提供する。【解決手段】回転式円筒オートクレーブ１４を提供する段階と、閉じられた使用済みの吸収性衛生用品をオートクレーブ１４へロードする段階と、オートクレーブ１４を、滅菌温度に達するよう加熱および加圧し、同時に、オートクレーブ１４を、オートクレーブ１４の長手方向軸Ａの周りを回転するよう駆動する段階と、吸収性衛生用品の熱的および物理的な構造分解を促すべく設計された複数の高密度の引き裂き部材を、オートクレーブ１４内に提供する段階とを備え、円筒オートクレーブ１４は、内面２２と２つの端部とを有し、２つの端部の少なくとも１つが、開かれるとオートクレーブ１４へのアクセスを可能とし、密閉されるとオートクレーブ１４の加圧を可能にするハッチ１８、２０によって終端される。【選択図】図１
2013111480.tif 000002
【特許請求の範囲】
【請求項１】
回転式円筒オートクレーブを提供する段階と、
閉じられた使用済みの吸収性衛生用品を前記オートクレーブへロードする段階と、
前記オートクレーブを、滅菌温度に達するよう加熱および加圧し、同時に、前記オートクレーブを、前記オートクレーブの長手方向軸の周りを回転するよう駆動する段階と、
前記吸収性衛生用品の熱的および物理的な構造分解を促すべく設計された高密度の複数の引き裂き部材を、オートクレーブ内に提供する段階と
を備え、
前記円筒オートクレーブは、内面と２つの端部とを有し、
前記２つの端部の少なくとも１つが、開かれると前記オートクレーブへのアクセスを可能とし、密閉されると前記オートクレーブの加圧を可能にするハッチによって終端される、前記使用済みの吸収性衛生用品を処理する方法。
【請求項２】
前記複数の引き裂き部材が熱伝導性の材料を含む、請求項１に記載の方法。
【請求項３】
前記複数の引き裂き部材が金属材料を含む、請求項２に記載の方法。
【請求項４】
前記複数の引き裂き部材の重量が、前記吸収性衛生用品の乾燥状態での重量の０．２５〜５倍の重量である、請求項１に記載の方法。
【請求項５】
前記複数の引き裂き部材の重量が、前記吸収性衛生用品の乾燥状態での重量の０．５〜１．５倍の重量である、請求項１に記載の方法。
【発明の詳細な説明】
【技術分野】
【０００１】
本願発明は、使用済みの吸収性衛生用品のリサイクルに用いる処理方法に関する。
【０００２】
「吸収性衛生用品」とは、一般的に、小児おむつ、失禁吸収性パッド、女性の生理用ナプキン、ベッドマットなどの使い捨て吸収性用品を指す。
【背景技術】
【０００３】
一般的に、吸収性衛生用品は、幅広い種類の異なる材料から構成されている。それら材料には、プラスチック材料のシート、セルロース綿毛、高吸収性ポリマー、不織布のシートなどが含まれる。
【０００４】
吸収性衛生用品はプラスチックおよびセルロースなどの高品質の材料を含んでいる。新たな生産サイクル、またはエネルギーの産出などの他の用途に用いるべく、これらの材料を回収することが所望される。
【０００５】
現在、使用済みの吸収性衛生用品は未分別の廃棄物として廃棄され、ごみ廃棄場へと送られる。使用済みの吸収性衛生用品の構成材料はそもそも回収されない。なぜなら、それら様々な材料（セルロース繊維、高吸収性ポリマー、プラスチック材料のシートなど）が密接に組み合わされているからであり、それらを分離させるには、用品を完全に構造分解する必要があるからである。加えて、使用済みの吸収性衛生用品は有機排出物および細菌を含むので、材料をリサイクルする前に、用品を滅菌する必要がある。
【０００６】
これらの理由により、使用済みの吸収性衛生用品は、分別回収の対象となるリサイクル可能な廃棄用品に含まれていない。
【０００７】
推計によると、吸収性衛生用品の、一般廃棄物全体に占める割合は、およそ２〜３％である。しかし、廃棄物の分別回収が高い割合で行われている地域（分別される廃棄物の割合が全体の６０％超）では、吸収性衛生用品の、未分別の廃棄物に対する割合は、およそ２０％と高くなる。
【０００８】
このように吸収性衛生用品の、リサイクル不可能な廃棄物に対する割合は高く、効率的かつ経済的に有利な方法で吸収性衛生用品の構成材料をリサイクルすることを目的として、吸収性衛生用品の処理の実行を可能にする機器および方法を開発することがより一層所望される。
【０００９】
従来より知られている使用済みの吸収性衛生用品の処理技術は十分なものではない。その技術の一例は、使用済みの吸収性用品を水、アルカリおよび石鹸で洗浄する段階と、その洗浄段階で、セルロースをプラスチックから分離する段階とを備えている。この技術は、例えば、ＷＯ９４／２０６６８およびＷＯ９６／２７０４５に開示されている。
【００１０】
米国特許第５２９２０７５号の開示する方法では、汚れた吸収性衛生用品は予め細断される。その後、プラスチック材料を内部に留める穴のあいた円筒ドラムを備える洗浄機内で、細断された材料を洗浄する。そして、セルロースパルプを含む材料を脱水する。
【００１１】
吸収性衛生用品を処理するこれらの技術の実際の実施には、課題がある。それは、用いられる洗浄水がゲル化高吸水性ポリマーおよび有機残渣などのような汚染物質を多量に含むことになるので、その洗浄水の廃棄が課題となるということである。さらに、洗浄後にセルロースを乾燥させるので、消費するエネルギー量が多いという課題もある。
【００１２】
さらに他の課題もある。通常、使用済みの吸収性衛生用品は、折り畳んで閉じられ、不透過性バリアを形成する当該用品の外側のプラスチック層によってパックされた状態で、捨てられるということである。その捨てられたときの状態のまま用品を処理しようとすると、外側の不透過性層によって、当該用品を効果的に滅菌出来ない。一方、米国特許第５２９２０７５号が開示するように予備処理をするには、有機排出物、細菌および汚染物を多量に含む物品を細断する必要がある。
【００１３】
特開２００４−１１３９１５号公報は、吸収性ポリマーを含むおむつを処理する方法を開示している。当該方法においては、使用済みのおむつは、切削屑と共に、加圧された密閉容器内に置かれる。容器内では、おむつが高温かつ高圧力の蒸気によって、予め設定された時間の間、処理される。蒸気による処理は、１５〜２５ａｔｍの圧力および１５０〜２５０℃の温度で行われる。当該特許文献によると、処理済みの吸収性衛生用品は、発酵させた後、肥料として用いられる。
【００１４】
ＷＯ２０１０／０６５０８８は、一般廃棄物の処理に用いられるオートクレーブを開示しており、その処理においては、廃棄物を乾燥させるのに蒸気が用いられる。ＷＯ２０１０／０６５０８８が開示する装置は、開かれるとオートクレーブへのアクセスを可能とし、密閉されるとオートクレーブの加圧を可能にする、１以上のハッチを有する回転式円筒オートクレーブと、オートクレーブ内に含まれる廃棄物と直接接触する接触蒸気の吸入口と、非接触蒸気を誘導するよう設計され、オートクレーブの内面から突出し、非接触蒸気が供給される複数の直線的な中空ブレードと、を備える。当該装置によって、オートクレーブ内での処理中に、一般廃棄物の滅菌と乾燥が可能となる。ＷＯ２０１０／０６５０８８が開示する装置は、未分別の一般廃棄物を対象として開発されたものであり、吸収性衛生用品の構成材料を滅菌し、乾燥させ、分離することに関しての教示は特に含んでいない。
【発明の概要】
【発明が解決しようとする課題】
【００１５】
本願発明の目的は、使用済みの吸収性衛生用品を処理する方法を提供することである。当該方法によって、使用済みの吸収性衛生用品の滅菌、乾燥および構造分解が可能となり、構成材料の回収が可能となる。
【課題を解決するための手段】
【００１６】
上記の目的は、請求項１に記載される特徴を有する、本願発明の方法によって達成される。
【００１７】
請求項は、本明細書に記載する、本願発明に関する教示の主要部分をなす。
【図面の簡単な説明】
【００１８】
非限定的な例としてのみ示す添付の図面を参照し、本願発明について詳細に説明する。
【図１】図１は、廃棄物を処理する回転式オートクレーブ装置の斜視図である。
【図２】図２は、図１のオートクレーブの概略断面図である。
【発明を実施するための形態】
【００１９】
図１において、装置１０は、使用済みの吸収性衛生用品を処理する回転式オートクレーブ装置である。装置１０は、固定構造体１２を備える。固定構造体１２は、円筒形のオートクレーブ１４を積載している。オートクレーブ１４は、その長手方向軸Ａの周りを回転する。装置１０は、駆動装置（図示せず）を備える。駆動装置は、長手方向軸Ａの周りのオートクレーブ１４の回転を駆動する。固定構造体１２は、アクチュエータ１６を備えてよい。アクチュエータ１６は、水平方向軸に対するオートクレーブ１４の傾きを変え、このことにより、オートクレーブ１４の傾きをロード／アンロード位置と動作位置との間で変えられる。オートクレーブ１４は、２つの端部を有し、そのうち少なくとも１つは、開かれるとオートクレーブ１４の内部空間へのアクセスを可能とし、密閉されるとオートクレーブ１４の内部空間の加圧を可能にするハッチによって終端されている。図示する例では、２つの開閉式ハッチ１８、２０が提供されており、例えば一方は、処理される用品のオートクレーブ１４へのロードに用いられ、また他方は、処理済みの用品のオートクレーブ１４からのアンロードに用いられる。他の実施形態では、開閉式のハッチは１つのみ提供され、このハッチが、ロードとアンロードの両方に用いられる。
【００２０】
装置１０は、循環路を備える。循環路は、吸収性衛生用品を滅菌温度まで熱するべく、オートクレーブ１４を加熱し、加圧する。
【００２１】
ハッチ１８は、回転式コネクタ３４を備え、ハッチ２０は、回転式コネクタ３６を備える。回転式コネクタ３４は、蒸気生成器３８から供給される加熱蒸気を吸入し、回転式コネクタ３６は、加熱蒸気を排気する。加熱蒸気のフローは、オートクレーブ１４の内壁に位置するダクト２４を通過する非接触蒸気４２のフローと、処理される用品と直接接触し、オートクレーブ１４の内部を加圧する接触蒸気４４のフローとに分けられる。排気側のコネクタ３６では、非接触蒸気４２のフローと接触蒸気４４のフローとが、例えばＷＯ２０１０／０６５０８８に記載されるように、分けられ、別々に処理される。
【００２２】
典型的に吸収性衛生用品は、セルロース繊維および高吸収性ポリマーの吸収性コアを備える。通常、吸収性コアは、互いに接合された２枚のプラスチック材料のシートに挟まれている。典型的に、バックシートは不透過性であり、トップシートは多孔性である。通常、吸収性衛生用品は、折り畳まれ、不透過性バックシートによってパックされた状態で覆われる。通常、折り畳まれた用品を閉じる粘着性のタブが備えられている。よって、有機排出物は、密封された不透過性プラスチック材料のシートで覆われている。
【００２３】
本願発明では、吸収性衛生用品を、それらが収集されたときの状態のまま、つまり閉じられてパックされた状態のまま、当該用品を開く予備処理を要せずに処理する。
【００２４】
オートクレーブ１４内での処理で効果的な滅菌および乾燥を行うには、オートクレーブ１４内のあらゆる位置で有機物の全てを滅菌温度に曝すべく、用品の構造分解を行う必要がある。吸収性衛生用品の構造分解は、滅菌を完全に行い、またプラスチックをセルロース繊維から分離するのに必ず必要なことである。
【００２５】
図２を参照し、動作を説明する。オートクレーブ１４には、吸収性衛生用品４６がまとめてロードされ、かつ、高密度の引き裂き部材４８がまとめてロードされる。オートクレーブ１４はその後、密閉され、接触蒸気によって加圧される。同時に、オートクレーブ１４は、非接触蒸気によって加熱される。加熱および加圧されたオートクレーブ１４は、長手方向軸Ａの周りを回転するよう駆動される。オートクレーブ１４は、内壁から突出する径方向ブレード５０を備えてよい。
【００２６】
高密度の引き裂き部材４８によって、熱伝導と、吸収性衛生用品４６の構造分解とが促される。引き裂き部材４８は、熱伝導性の材料を含んでおり、好ましくは、金属材料を含んでいる。引き裂き部材４８は、小さく、鋭利な物体であってよい。その例としては、石、および、ねじ、ボルト、異なる長さを有するＬ字型の鋼など金属を加工した物体が含まれる。
【００２７】
引き裂き部材４８は、オートクレーブ１４の加熱された壁部から伝導する熱を吸収する。オートクレーブ１４の回転中、吸収性衛生用品４６の集まりが、オートクレーブ１４の壁部によってかき上げられ、その後、中心方向へと落下する。そして、引き裂き部材４８は、吸収性衛生用品４６の集まりの上に落下する。
【００２８】
引き裂き部材４８は重いので、オートクレーブ１４の底部に蓄積した吸収性衛生用品４６の集まりを突き抜けて、オートクレーブ１４に到達する。
【００２９】
吸収性衛生用品４６の集まりを通過する引き裂き部材４８によって、伝導、対流、および放射による熱がもたらされる。このようにして、オートクレーブ１４の壁部に存在するエネルギーが、廃棄物の集まり内へと効果的に伝えられ、このことにより、熱交換の有効面積が、著しく大きくなる。
【００３０】
引き裂き部材４８は、オートクレーブ１４の壁部の温度と同じ温度を有するか、オートクレーブ１４の壁部の温度に近い温度を有する。オートクレーブ１４の壁部の温度は、吸収性衛生用品４６を覆うプラスチック材料が溶融する温度より高い温度に設定される。引き裂き部材４８が吸収性衛生用品４６の集まりを通過するとき、引き裂き部材４８は、プラスチック材料の覆いの強度を弱め、引き裂き、穴を形成する。このことによって、吸収性衛生用品４６の構造分解を行い、廃棄物中の繊維質が外部に曝される。
【００３１】
吸収性衛生用品４６の構造分解を行うのに求められる引き裂き部材４８の重量は、処理される吸収性衛生用品４６の乾燥状態での重量の０．２５〜５倍の重量である。好ましい重量は、吸収性衛生用品４６の乾燥状態での重量の０．５〜１．５倍の重量である。
【００３２】
行った実験では、単位重量が０．２５〜１ｋｇである鋼ボルトを用いたとき、および同単位重量の、鋼の平板材を用いたときに、吸収性衛生用品４６の構造分解に成功した。
【００３３】
オートクレーブ１４内の温度および圧力の効果と併せて、引き裂き部材４８の集まりを用いることにより、オートクレーブ１４内の吸収性衛生用品の完全な構造分解が可能になる。このようにして、作業者と周囲環境とを汚臭および吸収性衛生用品に含まれる汚染物質に曝すことになる、用品を細断する予備処理が不要となる。
【００３４】
オートクレーブ１４内での処理で用品を完全に構造分解することにより、短時間での用品の乾燥および滅菌が可能となる。オートクレーブ１４内での処理後、乾燥され滅菌された、構造分解済みの基本的にプラスチックおよびセルロース繊維からなる集まりが得られる。続いて、その乾燥され滅菌された構造分解済みの集まりをふるいにかけ、プラスチックとセルロースとを分離する。
【００３５】
当然ながら、本願発明の技術的思想を損なうことなく、構成の詳細および実施形態は幅広く変更し得、その場合であっても、特許請求の範囲に記載の本願発明の技術範囲から逸脱することはない。
【図１】
2013111480.tif 000003
【図２】
2013111480.tif 000004
【外国語明細書】
2013111480000001.pdf